(57)【要約】【課題】受信した標準電波に基づく正しいタイミングでＤＳＴの切り替え制御をおこなうことが可能な電波修正時計を提供すること。【解決手段】時刻表示の対象となる地域に関する情報を記憶する地域情報記憶部１１２と、ＵＴＣ時刻情報を含む標準電波を受信し、受信信号を出力する受信回路１０３と、上記地域に関する情報と、上記受信信号とに基づいて、当該地域における現在時刻を算出する地域時刻算出部１１６と、算出された現在時刻を表示する表示部１１０と、上記受信信号にサマータイムへの切り替え当日に関する情報が含まれていた場合に、地域時刻算出部１１６によって算出された現在時刻に基づいて定められる所定のタイミングで、表示部１１０に表示されている表示時刻がサマータイムまたはウインタータイムとなるように修正をする表示時刻修正部１１８と、を備える。【選択図】      図１
2005003373.tif 000002
【特許請求の範囲】
【請求項１】
時刻表示の対象となる地域に関する情報を記憶する地域情報記憶手段と、
ＵＴＣ時刻情報を含む標準電波を受信し、受信信号を出力する標準電波受信手段と、
前記地域情報記憶手段によって記憶された地域に関する情報と、前記標準電波受信手段によって出力された受信信号とに基づいて、当該地域における現在時刻を算出する時刻算出手段と、
前記時刻算出手段によって算出された現在時刻を表示する時刻表示手段と、
前記標準電波受信手段によって出力された受信信号にサマータイムへの切り替え当日に関する情報が含まれていた場合に、前記時刻算出手段によって算出された現在時刻に基づいて定められる所定のタイミングで、前記時刻表示手段に表示されている表示時刻がサマータイムとなるように修正をする表示時刻修正手段と、を備えたことを特徴とする電波修正時計。
【請求項２】
前記ＵＴＣ時刻が午前０時のときの前記地域の時刻を所定の時刻とし、
前記時刻算出手段によって算出された時刻が前記所定の時刻以降であって、あらかじめ登録されているサマータイムへの切り替え時刻よりも前である場合に、前記表示時刻修正手段は、前記算出された時刻がその後の最初のサマータイムへの切り替え時刻になったときに、前記表示時刻に１時間を加算するように修正することを特徴とする請求項１に記載の電波修正時計。
【請求項３】
前記ＵＴＣ時刻が午前０時のときの前記地域の時刻を所定の時刻とし、
前記時刻算出手段によって算出された時刻がサマータイムへの切り替え時刻以降であって前記所定の時刻よりも前である場合に、
前記表示時刻修正手段は、ただちに前記表示時刻に１時間を加算するように修正することを特徴とする請求項１に記載の電波修正時計。
【請求項４】
前記サマータイムへの切り替え時刻が、ウインタータイムの午前２時０分０秒（サマータイムの午前３時０分０秒）であることを特徴とする請求項２または３に記載の電波修正時計。
【請求項５】
前記サマータイムへの切り替え当日が、４月の第１日曜日であることを特徴とする請求項１〜４のいずれか一つに記載の電波修正時計。
【請求項６】
前記表示手段は、少なくとも長針と短針とを有し、
さらに、前記短針を前記長針とは独立に駆動する短針駆動手段を備え、
前記表示時刻修正手段によって１時間が加算されるように修正された場合に、前記短針駆動手段は、前記短針を１時間進めるように駆動することを特徴とする請求項１〜５のいずれか一つに記載の電波修正時計。
【請求項７】
時刻表示の対象となる地域に関する情報を記憶する地域情報記憶手段と、
ＵＴＣ時刻情報を含む標準電波を受信し、受信信号を出力する標準電波受信手段と、
前記地域情報記憶手段によって記憶された地域に関する情報と、前記標準電波受信手段によって出力された受信信号とに基づいて、当該地域における現在時刻を算出する時刻算出手段と、
前記時刻算出手段によって算出された現在時刻を表示する時刻表示手段と、
前記標準電波受信手段によって出力された受信信号にウインタータイムへの切り替え当日に関する情報が含まれていた場合に、前記時刻算出手段によって算出された現在時刻に基づいて定められる所定のタイミングで、前記時刻表示手段に表示されている表示時刻がウインタータイムとなるように修正をする表示時刻修正手段と、を備えたことを特徴とする電波修正時計。
【請求項８】
前記ＵＴＣ時刻が午前０時のときの前記地域の時刻を所定の時刻とし、
前記時刻算出手段によって算出された時刻が前記所定の時刻以降であって、あらかじめ登録されているウインタータイムへの切り替え時刻よりも前である場合に、
前記表示時刻修正手段は、前記算出された時刻がその後の最初のウインタータイムへの切り替え時刻になったときに、前記表示時刻に１時間を減算するように修正することを特徴とする請求項７に記載の電波修正時計。
【請求項９】
前記ＵＴＣ時刻が午前０時のときの前記地域の時刻を所定の時刻とし、
前記時刻算出手段によって算出された時刻がウインタータイムへの切り替え時刻以降であって前記所定の時刻よりも前である場合に、
前記表示時刻修正手段は、ただちに前記表示時刻に１時間を減算するように修正することを特徴とする請求項７に記載の電波修正時計。
【請求項１０】
前記ウインタータイムへの切り替え時刻が、サーマータイムの午前２時０分０秒（ウインタータイムの午前１時０分０秒）であることを特徴とする請求項８または９に記載の電波修正時計。
【請求項１１】
前記ウインタータイムへの切り替え当日が、１０月の最終日曜日であることを特徴とする請求項７〜１０のいずれか一つに記載の電波修正時計。
【請求項１２】
前記表示手段は、少なくとも長針と短針とを有し、
さらに、前記短針を前記長針とは独立に駆動する短針駆動手段を備え、
前記表示時刻修正手段によって１時間が減算されるように修正された場合に、前記短針駆動手段は、前記短針を１時間遅らせるように駆動することを特徴とする請求項７〜１１のいずれか一つに記載の電波修正時計。
【請求項１３】
時刻表示の対象となる地域に関する情報の入力を受け付ける地域情報入力手段を備え、
前記地域情報記憶手段は、前記地域情報入力手段によって入力された情報を記憶することを特徴とする請求項１〜１２のいずれか一つに記載の電波修正時計。
【請求項１４】
請求項１〜１３のいずれか一つに記載の電波修正時計を備えたことを特徴とする電子機器。
【請求項１５】
ＵＴＣ時刻情報を含む標準電波を受信し、受信信号を出力する標準電波受信工程と、
時刻表示の対象となる地域に関する情報と、前記標準電波受信工程によって出力された受信信号とに基づいて、当該地域における現在時刻を算出する時刻算出工程と、
前記時刻算出工程によって算出された現在時刻を表示する時刻表示工程と、
前記標準電波受信工程によって出力された受信信号にサマータイムへの切り替え当日に関する情報が含まれていた場合に、前記時刻算出工程によって算出された現在時刻に基づいて定められる所定のタイミングで、前記時刻表示工程によって表示されている表示時刻がサマータイムとなるように修正をする表示時刻修正工程と、
を含んだことを特徴とする時刻修正方法。
【請求項１６】
前記ＵＴＣ時刻が午前０時のときの前記地域の時刻を所定の時刻とし、
前記時刻算出工程によって算出された時刻が前記所定の時刻以降であって、あらかじめ登録されているサマータイムへの切り替え時刻よりも前である場合に、前記表示時刻修正工程は、前記算出された時刻がその後の最初のサマータイムへの切り替え時刻になったときに、前記表示時刻に１時間を加算するように修正することを特徴とする請求項１５に記載の時刻修正方法。
【請求項１７】
前記ＵＴＣ時刻が午前０時のときの前記地域の時刻を所定の時刻とし、
前記時刻算出工程によって算出された時刻がサマータイムへの切り替え時刻以降であって前記所定の時刻よりも前である場合に、
前記表示時刻修正工程は、ただちに前記表示時刻に１時間を加算するように修正することを特徴とする請求項１５に記載の時刻修正方法。
【請求項１８】
ＵＴＣ時刻情報を含む標準電波を受信し、受信信号を出力する標準電波受信工程と、
時刻表示の対象となる地域に関する情報と、前記標準電波受信工程によって出力された受信信号とに基づいて、当該地域における現在時刻を算出する時刻算出工程と、
前記時刻算出工程によって算出された現在時刻を表示する時刻表示工程と、
前記標準電波受信工程によって出力された受信信号にウインタータイムへの切り替え当日に関する情報が含まれていた場合に、前記時刻算出工程によって算出された現在時刻に基づいて定められる所定のタイミングで、前記時刻表示工程によって表示されている表示時刻がウインタータイムとなるように修正をする表示時刻修正工程と、を含んだことを特徴とする時刻修正方法。
【請求項１９】
前記ＵＴＣ時刻が午前０時のときの前記地域の時刻を所定の時刻とし、
前記時刻算出工程によって算出された時刻が前記所定の時刻以降であって、あらかじめ登録されているウインタータイムへの切り替え時刻よりも前である場合に、
前記表示時刻修正工程は、前記算出された時刻がその後の最初のウインタータイムへの切り替え時刻になったときに、前記表示時刻に１時間を減算するように修正することを特徴とする請求項１８に記載の時刻修正方法。
【請求項２０】
前記ＵＴＣ時刻が午前０時のときの前記地域の時刻を所定の時刻とし、
前記時刻算出工程によって算出された時刻がウインタータイムへの切り替え時刻以降であって前記所定の時刻よりも前である場合に、
前記表示時刻修正工程は、ただちに前記表示時刻に１時間を減算するように修正することを特徴とする請求項１８に記載の時刻修正方法。
【請求項２１】
時刻表示の対象となる地域に関する情報の入力を受け付ける地域情報入力工程を含み、
前記地域情報記憶工程は、前記地域情報入力工程によって入力された情報を記憶することを特徴とする請求項１５〜２０のいずれか一つに記載の時刻修正方法。
【請求項２２】
請求項１５〜２１のいずれか一つに記載の時刻修正方法をコンピュータに実行させることを特徴とする時刻修正プログラム。
【発明の詳細な説明】
【０００１】
【発明の属する技術分野】
この発明は、ＤＳＴ（Ｄａｙｌｉｇｈｔ  Ｓａｖｉｎｇ  Ｔｉｍｅ）処理、すなわちウインタータイムとサマータイムとの修正をおこなう電波修正時計、および電波修正時計が内蔵された電子機器、時刻修正方法および時刻修正プログラムに関する。
【０００２】
【従来の技術】
日本、アメリカ、ドイツ、イギリスなどの国では、数１０ｋＨｚ程度の周波数を搬送波として時刻情報を送信するいわゆる長波標準電波（以下「標準電波」という）を送信しており、近年この標準電波を用いた電波修正時計が普及してきている。
【０００３】
電波修正時計は、所定の時間隔ごとに標準電波を受信するため、内蔵する発振回路および分周回路によって基準信号を発生させ、次回の標準電波の受信まではその基準信号に基づいて時刻を計時する。標準電波には現在時刻だけでなく、ＤＳＴに関する情報や、閏年などに関する情報も含まれるため、電波修正時計は標準電波の情報のみに基づいて常に正確な現在時刻、あるいは日付や曜日などのカレンダー情報を表示することができる。
【０００４】
【発明が解決しようとする課題】
しかしながら、米国においては、標準電波（ＷＷＶＢタイムコード）には、ＤＳＴの切り替え日時に関する情報は含まれておらず、また、米国には４つの時差帯があり、しかも標準電波（ＷＷＶＢタイムコード）が示す時刻はＵＴＣ時刻であるため、従来の電波修正時計を米国で用いる場合、受信した標準電波（ＷＷＶＢタイムコード）のみからでは、各地域におけるそれぞれのＤＳＴの切り替え日時（時刻）を特定することはできなかった。
【０００５】
また、標準電波（ＷＷＶＢタイムコード）において、切り替え日時は、ＵＴＣ時刻における当日になって初めてわかるので、標準電波を受信するタイミングによっても、切り替え日時を正確に特定できない場合があるという問題点があった。特に、ＵＴＣ時刻と各地域における時差値から、各地域の時刻がＵＴＣ時刻の前日となる場合があり（後述する図３、図４参照。）、その場合に、切り替え日を誤るおそれがあった。
【０００６】
本発明は上記課題を解決しようとするもので、受信した標準電波に基づく正しいタイミングでＤＳＴの切り替え制御をおこなうことが可能な電波修正時計、電波修正時計が内蔵された電子機器、時刻修正方法および時刻修正プログラムを提供することを目的とする。
【０００７】
【課題を解決するための手段】
上記目的を達成するために請求項１に記載の発明にかかる電波修正時計は、時刻表示の対象となる地域に関する情報を記憶する地域情報記憶手段と、ＵＴＣ時刻情報を含む標準電波を受信し、受信信号を出力する標準電波受信手段と、前記地域情報記憶手段によって記憶された地域に関する情報と、前記標準電波受信手段によって出力された受信信号とに基づいて、当該地域における現在時刻を算出する時刻算出手段と、前記時刻算出手段によって算出された現在時刻を表示する時刻表示手段と、前記標準電波受信手段によって出力された受信信号にサマータイムへの切り替え当日に関する情報が含まれていた場合に、前記時刻算出手段によって算出された現在時刻に基づいて定められる所定のタイミングで、前記時刻表示手段に表示されている表示時刻がサマータイムとなるように修正をする表示時刻修正手段と、を備えたことを特徴とする。
【０００８】
また、請求項２に記載の発明にかかる電波修正時計は、請求項１に記載の発明において、前記ＵＴＣ時刻が午前０時のときの前記地域の時刻を所定の時刻とし、前記時刻算出手段によって算出された時刻が前記所定の時刻以降であって、あらかじめ登録されているサマータイムへの切り替え時刻よりも前である場合に、前記表示時刻修正手段が、前記算出された時刻がその後の最初のサマータイムへの切り替え時刻になったときに、前記表示時刻に１時間を加算するように修正することを特徴とする。
【０００９】
また、請求項３に記載の発明にかかる電波修正時計は、請求項１に記載の発明において、前記ＵＴＣ時刻が午前０時のときの前記地域の時刻を所定の時刻とし、前記時刻算出手段によって算出された時刻がサマータイムへの切り替え時刻以降であって前記所定の時刻よりも前である場合に、前記表示時刻修正手段が、ただちに前記表示時刻に１時間を加算するように修正することを特徴とする。
【００１０】
また、請求項４に記載の発明にかかる電波修正時計は、請求項２または３に記載の発明において、前記サマータイムへの切り替え時刻が、ウインタータイムの午前２時０分０秒（サマータイムの午前３時０分０秒）であることを特徴とする。
【００１１】
また、請求項５に記載の発明にかかる電波修正時計は、請求項１〜４のいずれか一つに記載の発明において、前記サマータイムへの切り替え当日が、４月の第１日曜日であることを特徴とする。
【００１２】
また、請求項６に記載の発明にかかる電波修正時計は、請求項１〜５のいずれか一つに記載の発明において、前記表示手段が、少なくとも長針と短針とを有し、さらに、前記短針を前記長針とは独立に駆動する短針駆動手段を備え、前記表示時刻修正手段によって１時間が加算されるように修正された場合に、前記短針駆動手段が、前記短針を１時間進めるように駆動することを特徴とする。
【００１３】
また、請求項７に記載の発明にかかる電波修正時計は、時刻表示の対象となる地域に関する情報を記憶する地域情報記憶手段と、ＵＴＣ時刻情報を含む標準電波を受信し、受信信号を出力する標準電波受信手段と、前記地域情報記憶手段によって記憶された地域に関する情報と、前記標準電波受信手段によって出力された受信信号とに基づいて、当該地域における現在時刻を算出する時刻算出手段と、前記時刻算出手段によって算出された現在時刻を表示する時刻表示手段と、前記標準電波受信手段によって出力された受信信号にウインタータイムへの切り替え当日に関する情報が含まれていた場合に、前記時刻算出手段によって算出された現在時刻に基づいて定められる所定のタイミングで、前記時刻表示手段に表示されている表示時刻がウインタータイムとなるように修正をする表示時刻修正手段と、を備えたことを特徴とする。
【００１４】
また、請求項８に記載の発明にかかる電波修正時計は、請求項７に記載の発明において、前記ＵＴＣ時刻が午前０時のときの前記地域の時刻を所定の時刻とし、前記時刻算出手段によって算出された時刻が前記所定の時刻以降であって、あらかじめ登録されているウインタータイムへの切り替え時刻よりも前である場合に、前記表示時刻修正手段は、前記算出された時刻がその後の最初のウインタータイムへの切り替え時刻になったときに、前記表示時刻に１時間を減算するように修正することを特徴とする。
【００１５】
また、請求項９に記載の発明にかかる電波修正時計は、請求項７に記載の発明において、前記ＵＴＣ時刻が午前０時のときの前記地域の時刻を所定の時刻とし、前記時刻算出手段によって算出された時刻がウインタータイムへの切り替え時刻以降であって前記所定の時刻よりも前である場合に、前記表示時刻修正手段は、ただちに前記表示時刻に１時間を減算するように修正することを特徴とする。
【００１６】
また、請求項１０に記載の発明にかかる電波修正時計は、請求項８または９に記載の発明において、前記ウインタータイムへの切り替え時刻が、サマータイムの午前２時０分０秒（ウインタータイムの午前１時０分０秒）であることを特徴とする。
【００１７】
また、請求項１１に記載の発明にかかる電波修正時計は、請求項７〜１０のいずれか一つに記載の発明において、前記ウインタータイムへの切り替え当日が、１０月の最終日曜日であることを特徴とする。
【００１８】
また、請求項１２に記載の発明にかかる電波修正時計は、請求項７〜１１のいずれか一つに記載の発明において、前記表示手段が、少なくとも長針と短針とを有し、さらに、前記短針を前記長針とは独立に駆動する短針駆動手段を備え、前記表示時刻修正手段によって１時間が減算されるように修正された場合に、前記短針駆動手段が、前記短針を１時間遅らせるように駆動することを特徴とする。
【００１９】
また、請求項１３に記載の発明にかかる電波修正時計は、請求項１〜１２のいずれか一つに記載の発明において、時刻表示の対象となる地域に関する情報の入力を受け付ける地域情報入力手段を備え、前記地域情報記憶手段が、前記地域情報入力手段によって入力された情報を記憶することを特徴とする。
【００２０】
また、請求項１４に記載の発明にかかる電子機器は、請求項１〜１３のいずれか一つに記載の電波修正時計を備えたことを特徴とする。
【００２１】
また、請求項１５に記載の発明にかかる時刻修正方法は、ＵＴＣ時刻情報を含む標準電波を受信し、受信信号を出力する標準電波受信工程と、時刻表示の対象となる地域に関する情報と、前記標準電波受信工程によって出力された受信信号とに基づいて、当該地域における現在時刻を算出する時刻算出工程と、前記時刻算出工程によって算出された現在時刻を表示する時刻表示工程と、前記標準電波受信工程によって出力された受信信号にサマータイムへの切り替え当日に関する情報が含まれていた場合に、前記時刻算出工程によって算出された現在時刻に基づいて定められる所定のタイミングで、前記時刻表示工程によって表示されている表示時刻がサマータイムとなるように修正をする表示時刻修正工程と、を含んだことを特徴とする。
【００２２】
また、請求項１６に記載の発明にかかる時刻修正方法は、請求項１５に記載の発明において、前記ＵＴＣ時刻が午前０時のときの前記地域の時刻を所定の時刻とし、前記時刻算出工程によって算出された時刻が前記所定の時刻以降であって、あらかじめ登録されているサマータイムへの切り替え時刻よりも前である場合に、前記表示時刻修正工程が、前記算出された時刻がその後の最初のサマータイムへの切り替え時刻になったときに、前記表示時刻に１時間を加算するように修正することを特徴とする。
【００２３】
また、請求項１７に記載の発明にかかる時刻修正方法は、請求項１５に記載の発明において、前記ＵＴＣ時刻が午前０時のときの前記地域の時刻を所定の時刻とし、前記時刻算出工程によって算出された時刻がサマータイムへの切り替え時刻以降であって前記所定の時刻よりも前である場合に、前記表示時刻修正工程が、ただちに前記表示時刻に１時間を加算するように修正することを特徴とする。
【００２４】
また、請求項１８に記載の発明にかかる時刻修正方法は、ＵＴＣ時刻情報を含む標準電波を受信し、受信信号を出力する標準電波受信工程と、時刻表示の対象となる地域に関する情報と、前記標準電波受信工程によって出力された受信信号とに基づいて、当該地域における現在時刻を算出する時刻算出工程と、前記時刻算出工程によって算出された現在時刻を表示する時刻表示工程と、前記標準電波受信工程によって出力された受信信号にウインタータイムへの切り替え当日に関する情報が含まれていた場合に、前記時刻算出工程によって算出された現在時刻に基づいて定められる所定のタイミングで、前記時刻表示工程によって表示されている表示時刻がウインタータイムとなるように修正をする表示時刻修正工程と、を含んだことを特徴とする。
【００２５】
また、請求項１９に記載の発明にかかる時刻修正方法は、請求項１８に記載の発明において、前記ＵＴＣ時刻が午前０時のときの前記地域の時刻を所定の時刻とし、前記時刻算出工程によって算出された時刻が前記所定の時刻以降であって、あらかじめ登録されているウインタータイムへの切り替え時刻よりも前である場合に、前記表示時刻修正工程が、前記算出された時刻がその後の最初のウインタータイムへの切り替え時刻になったときに、前記表示時刻に１時間を減算するように修正することを特徴とする。
【００２６】
また、請求項２０に記載の発明にかかる時刻修正方法は、請求項１８に記載の発明において、前記ＵＴＣ時刻が午前０時のときの前記地域の時刻を所定の時刻とし、前記時刻算出工程によって算出された時刻がウインタータイムへの切り替え時刻以降であって前記所定の時刻よりも前である場合に、前記表示時刻修正工程は、ただちに前記表示時刻に１時間を減算するように修正することを特徴とする。
【００２７】
また、請求項２１に記載の発明にかかる時刻修正方法は、請求項１５〜２０のいずれか一つに記載の発明において、時刻表示の対象となる地域に関する情報の入力を受け付ける地域情報入力工程を含み、前記地域情報記憶工程が、前記地域情報入力工程によって入力された情報を記憶することを特徴とする。
【００２８】
また、請求項２２に記載の時刻修正プログラムは、請求項１５〜２１のいずれか一つに記載の時刻修正方法をコンピュータに実行させることを特徴とする。
【００２９】
【発明の実施の形態】
以下に添付図面を参照して、この発明にかかる電波修正時計、電子機器、時刻修正方法および時刻修正プログラムの好適な実施の形態について詳細に説明する。
【００３０】
（電波修正時計の構成）
まず、この発明の本実施の形態にかかる電波修正時計の構成について説明する。図１は、この発明の本実施の形態にかかる電波修正時計の構成を示すブロック図である。図１の電波修正時計１００において、１０１はマイコンであり、１０２はアンテナであり、１０３は受信回路であり、１０４はスイッチ（Ｓ／Ｗ）であり、１０５は発振回路であり、１０６は分周回路であり、１０７は計時回路であり、１０８は長針駆動部であり、１０９は短針駆動部であり、１１０は表示部である。
【００３１】
また、マイコン１０１において、１１１は受信開始／停止部であり、１１２は地域情報記憶部であり、１１３はＤＳＴ情報記憶部であり、１１４はデコーダ回路であり、１１５はＵＴＣ時刻情報記憶部であり、１１６は地域時刻算出部であり、１１７はＤＳＴ処理部であり、１１８は表示時刻修正部である。ここでは、マイコン１０１の内容をハードウエアで表現した図で示したが、この部分を実際のマイコン１０１におけるソフトウエアプログラムによって制御するようにしてもよい。その場合には、マイコン１０１に搭載された、図示を省略するプロセッサが、図示を省略するＲＡＭやＲＯＭに記憶されたソフトウエアプログラムを実行することによって、図１に示した上記各構成部の機能をそれぞれ実現する。
【００３２】
ここで、アンテナ１０２は、時刻情報を含む標準電波を受信する。受信回路１０３は、受信開始／停止部１１１によって受信開始の命令が出されたときにアンテナ１０２で受信した標準電波を増幅し、フィルタ回路、整流回路、検波回路などの処理により復調をおこなう。受信回路１０３は、ＵＴＣ時刻情報を含む標準電波を受信し、受信信号を出力する標準電波受信手段としての機能を実現する。
【００３３】
スイッチ（Ｓ／Ｗ）１０４は、操作者が強制受信を所望する場合に押下される。スイッチ（Ｓ／Ｗ）１０４が押下されると、スイッチ（Ｓ／Ｗ）１０４から受信開始／停止部１１１へ受信開始命令が送信される。また、スイッチ（Ｓ／Ｗまたは竜頭）１０４は、あらたに地域に関する情報を入力することによって、地域情報記憶部１１２に記憶されている地域に関する情報を変更することができる。
【００３４】
また、受信開始／停止部１１１は、計時回路１０７の内容によって決められた時刻もしくはスイッチ（Ｓ／Ｗ）１０４によって受信開始命令が出されたときに受信回路１０３を受信状態にするとともに、デコーダ回路１１４からの受信停止命令、計時回路１０７の内容によって決められた時刻もしくはスイッチ（Ｓ／Ｗ）１０４によって受信停止命令が出されたときに受信回路１０３を受信停止状態にする。
【００３５】
また、デコーダ回路１１４は、受信回路１０３から出力されるビットごとの判別データ（受信信号）をデコードするとともに、デコード終了時に受信終了信号を、受信開始／停止部１１１へ出力する。
【００３６】
また、表示部１１０は、地域時刻算出部１１６によって算出された現在時刻、日付や曜日などのカレンダー情報および電波受信状況に関する情報などを表示する。表示部１１０は表示手段としての機能を実現する。表示部１１０の具体的内容についての詳細については、後述する図１３および図１６において説明する。
【００３７】
地域情報記憶部１１２は、時刻表示の対象となる地域に関する情報を記憶する。地域に関する情報とは、具体的には、たとえばどの時差帯（第１領域〜第４領域）であるかに関する情報や、サマータイムの実施していない地域（たとえば、アリゾナ州の一部やイーストインディアナ州の一部）であるかいなかに関する情報などである。したがって、異なる時差帯へ移動した場合は、時刻表示の対象となる地域に関する情報を、たとえば、スイッチ（Ｓ／Ｗ）１０４などを用いて変更する。
【００３８】
ＤＳＴ情報記憶部１１３は、現在、サマータイムを表示しているのかあるいはウインタータイムを表示しているかに関する情報や、サマータイムからウインタータイムへの切り替え時刻あるいはウインタータイムからサマータイムへの切り替え時刻に関する情報を記憶する。より具体的には、米国の場合、すべての時差帯において、サマータイムへの切り替え時刻は午前２時０分０秒である。また、ウインタータイムへの切り替え時刻はサマータイム実施において午前２時０分０秒であるため、地域時刻算出部１１７によって算出される当該地域の時刻は、午前１時０分０秒である。
【００３９】
ＵＴＣ時刻情報記憶部１１５は、デコーダ回路１１４による受信信号のデコード処理によって得られた時刻（ＵＴＣ時刻）を記憶する。地域時刻ではなく、ＵＴＣ時刻を表示する旨の要求があった場合に、記憶されたＵＴＣ時刻を計時回路１０７へ送る。
【００４０】
地域時刻算出部１１６は、地域情報記憶部１１２によって記憶された地域に関する情報と、デコーダ回路１１４によって出力された受信信号とに基づいて、当該地域における現在時刻を算出する。地域時刻算出部１１６は、時刻算出手段としての機能を実現する。具体的には、図２に示したテーブルに基づいて、ＵＴＣ時刻に当該地域に該当する時差値（「−５」〜「−８」）をそれぞれ加算することによって求めることができる。
【００４１】
ＤＳＴ処理部１１７は、上記受信信号にサマータイムである旨の情報（後述するＺ１＝１，Ｚ２＝１）が含まれていた場合に、算出された現在時刻にプラス１時間としたサマータイムを算出する。
【００４２】
表示時刻修正部１１８は、上記受信信号にサマータイムへの切り替え当日に関する情報（後述するＺ１＝１，Ｚ２＝０）が含まれていた場合に、地域時刻算出部１１６によって算出された現在時刻およびＤＳＴ情報記憶部１１３に記憶されている情報に基づいて定められる所定のタイミング（所定タイミングの詳細については後述する）で、表示部１１０に表示されている表示時刻がサマータイムとなるように修正をする。
【００４３】
また、表示時刻修正部１１８は、上記受信信号にウインタータイムへの切り替え当日に関する情報（後述するＺ１＝０，Ｚ２＝１）が含まれていた場合に、地域時刻算出部１１６によって算出された現在時刻およびＤＳＴ情報記憶部１１３に記憶されている情報に基づいて定められる所定のタイミングで、表示部１１０に表示されている表示時刻がウインタータイムとなるように修正をする。
【００４４】
（地域時刻算出部１１６による現在時刻の算出方法）
図２は、ＵＴＣ時刻に対する時差値の内容を示す説明図である。図２において、米国の４つの時差帯（第１領域〜第４領域）のＵＴＣ時刻に対する時差値は、それぞれ「−５時間」〜「−８時間」となっている。これを、時間ごとに示すと図３のようになる。図３は、ＵＴＣ時刻と米国の各地域における時刻（ウインタータイム）との関係を示す説明図である。図３において、ＵＴＣ時刻が「０時」のときの各時差帯の時刻は、前日の「１６時」〜「１９時」となっている。
【００４５】
したがって、ＵＴＣ時刻と、図２に示したＵＴＣ時刻に対する時差値とから、各地域における現在時刻を算出することができる。たとえば、ＵＴＣ時刻が１２時であれば、第１領域の現在時刻は、１２−５＝７時となる。これによると、図３に示した斜線部分は前日の時刻であり、図３からも明らかなとおり、ＵＴＣ時刻が０時になって、サマータイムへの切り替え当日に関する情報が受信信号に含められた時点では、いずれの時差帯もすべて前日の各時刻となっている。
【００４６】
また、サマータイムが実施されている状態においては、１時間加算されているので、図４に示すようになる。図４は、ＵＴＣ時刻と米国の各地域における時刻（サマータイム）との関係を示す説明図である。
【００４７】
図５は、米国における標準電波（ＷＷＶＢタイムコード）の送信データのフォーマットの内容を示す説明図である。また、図６は、米国における標準電波の送信データである“０”の波形の内容を示す説明図であり、図７は、米国における標準電波の送信データである“１”の波形の内容を示す説明図であり、図８は、米国における標準電波の送信データである“Ｐ”の波形の内容を示す説明図である。
【００４８】
図５において、時刻データの送信は、１ｂｉｔ／秒で１分間を１フレームとしており、このフレーム内に「分」、「時」、１月１日からの「積算日」、「年」下２桁などの情報が含まれている。そして、サマータイムであるかウインタータイムであるかに関する情報は、５７秒に出現する「Ｚ１」５０１と５８秒に出現する「Ｚ２」５０２とによって認識することができる。
【００４９】
また送信されるデータは“０”、“１”の他に“Ｐ”コードというマーカーが含まれている。上記各々の波形は図６〜図８に示すとおりである。この“Ｐ”コードは１フレームに数カ所あり、正分（０秒）、９秒、１９秒、２９秒、３９秒、４９秒、５９秒に出現する。この“Ｐ”コードが続けて現れるのは１フレーム中、５９秒、０秒の時、１回だけで、この続けて現れる位置が正分位置となる。すなわち、分・時データなどの時刻データはこの正分位置を基準としてフレーム中の位置が決まっているため、時刻データを取り出すためには、まずこの正分位置の検出をおこなう必要がある。その後、１秒ごとに送信されてくるビットごとに、図６〜図８に示した３種類のうちのどの波形であるかを検出する。
【００５０】
（ＤＳＴ処理の内容）
つぎに、この発明の本実施の形態にかかる電波修正時計のＤＳＴ処理の内容について説明する。図９は、米国における標準電波の送信データのＤＳＴ（Ｄａｙｌｉｇｈｔ  Ｓａｖｉｎｇ  Ｔｉｍｅ）の内容を示す説明図である。
【００５１】
図９に示すように、「Ｚ１」５０１と、「Ｚ２」５０２とには、“０”または“１”のいずれかのコードが現れる。そして現れたコードの組み合わせによって、サマータイム実施時中なのか、ウインタータイム実施中なのか、サマータイムからウインタータイムへの切り替え当日なのか、ウインタータイムからサマータイムへの切り替え当日なのかを判断することができる。米国における現行では、サマータイムへの切り替え当日は４月の第１日曜日であり、ウインタータイムへの切り替え当日は１０月の最終日曜日である。
【００５２】
図１０はこの発明の本実施の形態にかかる電波修正時計のＤＳＴ処理の内容を示すフローチャートである。図１０のフローチャートにおいて、標準電波を受信したか否かを判断する（ステップＳ１００１）。ここで、標準電波を受信するのを待って、受信した場合（ステップＳ１００１：Ｙｅｓ）は、つぎに、受信した標準電波の受信信号に基づいて、地域における現在時刻を算出する（ステップＳ１００２）。
【００５３】
さらに上記受信信号のＺ１のデータについて確認する（ステップＳ１００３）。ここで、Ｚ１＝１の場合（ステップＳ１００３：“１”）は、つぎに、Ｚ２のデータについて確認する（ステップＳ１００４）。ここで、Ｚ２＝１の場合（ステップＳ１００４：“１”）は、現在はサマータイム表示期間であるため、ＤＳＴ処理部１１７において、ステップＳ１００２において算出された現在時刻に１時間加算し、加算された時刻を計時回路１０７へ送り、計時回路１０７は、表示部１１０に加算された時刻を表示する（ステップＳ１００５）。
【００５４】
一方、ステップＳ１００４において、Ｚ２＝０の場合（ステップＳ１００４：“０”）は、ウインタータイムからサマータイムへの切り替え当日であるため、ＷＴ→ＳＴ切り替え当日処理をおこなう（ステップＳ１００７）。しかし、その前に、ＷＴ→ＳＴ切り替え当日処理がすでにおこなわれたか否かを判断する（ステップＳ１００６）。ここで、すでに処理済みの場合（ステップＳ１００６：Ｙｅｓ）は、ＷＴ→ＳＴ切り替え当日処理をせずに、ステップＳ１００５へ移行する。ＷＴ→ＳＴ切り替え当日処理の内容については、図１１において詳細に説明する。
【００５５】
また、ステップＳ１００３において、Ｚ１＝０の場合（ステップＳ１００３：“０”）は、つぎに、Ｚ２のデータについて確認する（ステップＳ１００８）。ここで、Ｚ２＝０の場合（ステップＳ１００８：“０”）は、現在はウインタータイム表示期間であるため、ステップＳ１００２において算出された現在時刻をそのまま表示する（ステップＳ１００９）。
【００５６】
一方、ステップＳ１００８において、Ｚ２＝１の場合（ステップＳ１００８：“１”）は、サマータイムからウインタータイムへの切り替え当日であるため、ＳＴ→ＷＴ切り替え当日処理をおこなう（ステップＳ１０１１）。しかし、その前に、ＳＴ→ＷＴ切り替え当日処理がすでにおこなわれたか否かを判断する（ステップＳ１０１０）。ここで、すでに処理済みの場合（ステップＳ１０１０：Ｙｅｓ）は、ＳＴ→ＷＴ切り替え当日処理をせずに、ステップＳ１００９へ移行する。ＳＴ→ＷＴ切り替え当日処理の内容については、図１４において詳細に説明する。
【００５７】
（ＷＴ→ＳＴ切り替え当日処理の内容）
つぎに、ＷＴ→ＳＴ切り替え当日処理の内容について説明する。図１１は、この発明の本実施の形態にかかる電波修正時計のＤＳＴ処理のうちのＷＴ→ＳＴ切り替え当日処理の内容を示すフローチャートであり、また図１２は、この発明の本実施の形態にかかる電波修正時計のＤＳＴ処理のうちのＷＴ→ＳＴ切り替え当日処理を時系列的に示す説明図であり、一例として米国第１領域（ＮＹ）の例を示す。
【００５８】
図１１のフローチャートにおいて、まず、図１０のステップＳ１００２において算出された現在時刻が、所定の時刻、すなわちＵＴＣ時刻が午前０時のときの地域の時刻以降であって、サマータイム切り替え時刻よりも前か否かを判断する（ステップＳ１１０１）。図１２にあっては、ＵＴＣ時刻（１２０１）が０時以降、すなわち第１の領域（ＮＹ）における現在時刻（１２０２）が１９時以降であって、サマータイム切り替え時刻である２時よりも前（Ｔ１の時刻帯）か否かを判断する。
【００５９】
ステップＳ１１０１において、Ｔ１の時刻帯である場合（ステップＳ１１０１：Ｙｅｓ）は、サマータイム切り替え時刻（２時）に達したか否かを判断する（ステップＳ１１０２）。ここで、サマータイム切り替え時刻に達するのを待って、達した場合（ステップＳ１１０２：Ｙｅｓ）に、表示時刻を１時間進めて（ステップＳ１１０３）、一連の処理を終了する。
【００６０】
一方、ステップＳ１１０１において、サマータイム切り替え時刻以降であって所定の時刻よりも前（Ｔ２の時刻帯）である場合（ステップＳ１１０１：Ｎｏ）は、ただちに、表示時刻を１時間進めて（ステップＳ１１０３）、一連の処理を終了する。
【００６１】
図１３には、この発明の本実施の形態にかかる電波修正時計の表示内容の一例を示す説明図であり、アナログ時計の表示板を示している。この表示板１３００において、上記算出された時刻がＴ１の時刻帯であった場合、２時に達したとき、すなわち短針１３０１が「２」を指し、長針１３０２が「１２」を指したときに、長針１３０２が時計回りに１回転することなく、短針１３０１のみが、「２」から「３」へ移動する。したがって、アナログ時計において、ウインタータイムからサマータイムへの切り替えを瞬時におこなうことができる。
【００６２】
（ＳＴ→ＷＴ切り替え当日処理の内容）
つぎに、ＳＴ→ＷＴ切り替え当日処理の内容について説明する。図１４は、この発明の本実施の形態にかかる電波修正時計のＤＳＴ処理のうちのＳＴ→ＷＴ切り替え当日処理の内容を示すフローチャートであり、また図１５は、この発明の本実施の形態にかかる電波修正時計のＤＳＴ処理のうちのＳＴ→ＷＴ切り替え当日処理を時系列的に示す説明図であり、一例として米国第１領域（ＮＹ）の例を示す。
【００６３】
図１４のフローチャートにおいて、まず、図１０のステップＳ１００２において算出された現在時刻が、所定の時刻、すなわちＵＴＣ時刻が午前０時のときの地域の時刻以降であって、ウインタータイム切り替え時刻よりも前か否かを判断する（ステップＳ１４０１）。図１５にあっては、ＵＴＣ時刻（１５０１）が０時以降、すなわち第１の領域（ＮＹ）における現在時刻（１５０２）が１９時以降であって、ウインタータイム切り替え時刻である１時（サマータイム（１５０３）にあっては２時）よりも前（Ｔ１の時刻帯）か否かを判断する。
【００６４】
ステップＳ１４０１において、Ｔ１の時刻帯ある場合（ステップＳ１４０１：Ｙｅｓ）は、ウインタータイム切り替え時刻（１時）に達したか否かを判断する（ステップＳ１４０２）。ここで、ウインタータイム切り替え時刻に達するのを待って、達した場合（ステップＳ１４０２：Ｙｅｓ）に、表示時刻を１時間遅らせ（ステップＳ１４０３）、一連の処理を終了する。
【００６５】
一方、ステップＳ１４０１において、ウインタータイム切り替え時刻以降であって所定の時刻よりも前（Ｔ２の時刻帯）である場合（ステップＳ１４０１：Ｎｏ）は、ただちに、表示時刻を１時間遅らせて（ステップＳ１４０３）、一連の処理を終了する。
【００６６】
図１６には、この発明の本実施の形態にかかる電波修正時計の表示内容の別の一例を示す説明図であり、図１３と同様にアナログ時計の表示板を示している。この表示板１３００において、上記算出された時刻がＴ１の時刻帯であった場合、２時に達したとき、すなわち短針１３０１が「２」を指し、長針１３０２が「１２」を指したときに、長針１３０２が反時計回りに１回転することなく、短針１３０１のみが、「２」から「１」へ移動する。したがって、アナログ時計において、サマータイムからウインタータイムへの切り替えを瞬時におこなうことができる。
【００６７】
以上説明したように、本実施の形態によれば、時差帯を示す地域情報さえ登録されていれば、標準電波（ＷＷＶＢタイムコード）のみを受信するだけで、米国におけるどの時差帯にあっても、正確にＤＳＴ切り替え処理をおこなうことができる。また、そのために標準電波の受信のタイミングを考慮する必要がない。すなわち、所定時刻以降であって切り替え時刻よりも前に標準電波を受信した場合は、切り替え時刻に達したときに切り替え処理をおこなうようにし、また、切り替え時刻以降に標準電波を受信した場合には、直ちに切り替え処理をおこなうようにすることで、あくまで標準電波に基づいたＤＳＴ切り替え処理を効率的かつ迅速におこなうことができる。
【００６８】
また、地域情報の変更情報を入力するだけで、容易にＤＳＴ切り替え時刻の変更をすることができる。
【００６９】
なお、上記実施の形態においては、電波修正時計について説明したが、この電波修正時計は、腕時計、掛け時計、置き時計などすべての種類の時計が含まれる。また、本発明は、電波修正時計に限定されるものではなく、電波修正時計を内蔵した、携帯電話機、ＰＤＡ（Ｐｅｒｓｏｎａｌ  Ｄｉｇｉｔａｌ  Ａｓｓｉｓｔａｎｔ）、ノート型パーソナルコンピュータなどの携帯可能な情報端末装置、さらには、家電や自動車を含む電子機器であってもよい。
【００７０】
【発明の効果】
以上説明したように、この本発明によれば、受信した標準電波に基づく正しいタイミングでＤＳＴの切り替え制御をおこなうことが可能な電波修正時計、電波修正時計が内蔵された電子機器、時刻修正方法および時刻修正プログラムが得られるという効果を奏する。
【図面の簡単な説明】
【図１】この発明の本実施の形態にかかる電波修正時計の構成を示すブロック図である。
【図２】ＵＴＣ時刻に対する時差値の内容を示す説明図である。
【図３】ＵＴＣ時刻と米国の各地域における時刻（ウインタータイム）との関係を示す説明図である。
【図４】ＵＴＣ時刻と米国の各地域における時刻（サマータイム）との関係を示す説明図である。
【図５】米国における標準電波（ＷＷＶＢタイムコード）の送信データのフォーマットの内容を示す説明図である。
【図６】米国における標準電波（ＷＷＶＢタイムコード）の送信データである“０”の波形の内容を示す説明図である。
【図７】米国における標準電波（ＷＷＶＢタイムコード）の送信データである“１”の波形の内容を示す説明図である。
【図８】米国における標準電波（ＷＷＶＢタイムコード）の送信データである“Ｐ”の波形の内容を示す説明図である。
【図９】米国における標準電波（ＷＷＶＢタイムコード）の送信データのＤＳＴ（Ｄａｙｌｉｇｈｔ  Ｓａｖｉｎｇ  Ｔｉｍｅ）の内容を示す説明図である。
【図１０】この発明の本実施の形態にかかる電波修正時計のＤＳＴ処理の内容を示すフローチャートである。
【図１１】この発明の本実施の形態にかかる電波修正時計のＤＳＴ処理のうちのＷＴ→ＳＴ切り替え当日処理の内容を示すフローチャートである。
【図１２】この発明の本実施の形態にかかる電波修正時計のＤＳＴ処理のうちのＷＴ→ＳＴ切り替え当日処理を時系列的に示す説明図である。
【図１３】この発明の本実施の形態にかかる電波修正時計の表示内容の一例を示す説明図である。
【図１４】この発明の本実施の形態にかかる電波修正時計のＤＳＴ処理のうちのＳＴ→ＷＴ切り替え当日処理の内容を示すフローチャートである。
【図１５】この発明の本実施の形態にかかる電波修正時計のＤＳＴ処理のうちのＳＴ→ＷＴ切り替え当日処理を時系列的に示す説明図である。
【図１６】この発明の本実施の形態にかかる電波修正時計の表示内容の別の一例を示す説明図である。
【符号の説明】
１００  電波修正時計
１０１  マイコン
１０２  アンテナ
１０３  受信回路
１０４  スイッチ（Ｓ／Ｗ）
１０５  発振回路
１０６  分周回路
１０７  計時回路
１０８  長針駆動部
１０９  短針駆動部
１１０  表示部
１１１  受信開始／停止部
１１２  地域情報記憶部
１１３  ＤＳＴ情報記憶部
１１４  デコーダ回路
１１５  ＵＴＣ時刻情報記憶部
１１６  地域時刻算出部
１１７  ＤＳＴ処理部
１１８  表示時刻修正部
【図１】
2005003373.tif 000003
【図２】
2005003373.tif 000004
【図３】
2005003373.tif 000005
【図４】
2005003373.tif 000006
【図５】
2005003373.tif 000007
【図６】
2005003373.tif 000008
【図７】
2005003373.tif 000009
【図８】
2005003373.tif 000010
【図９】
2005003373.tif 000011
【図１０】
2005003373.tif 000012
【図１１】
2005003373.tif 000013
【図１２】
2005003373.tif 000014
【図１３】
2005003373.tif 000015
【図１４】
2005003373.tif 000016
【図１５】
2005003373.tif 000017
【図１６】
2005003373.tif 000018